(57)【要約】【課題】炭素同位体を高収率で分離する方法とそれを用いた炭素同位体の濃縮方法を提供する。【解決手段】本発明は、炭素同位体を分離する方法及びそれを用いた炭素同位体の濃縮方法に関するものであり、より詳細には、ホルムアルデヒド気体を１９０Ｋ〜２５０Ｋの温度に冷却する段階と、冷却されたホルムアルデヒド気体を光分解して、炭素同位体を含む二酸化炭素と水素を含む混合気体及び残存ホルムアルデヒドを獲得する段階と、を含む、炭素同位体を分離する方法、及び炭素同位体の濃縮方法に関するものである。【選択図】図１
2020082071.tif 000002
【特許請求の範囲】
【請求項１】
ホルムアルデヒド気体を１９０Ｋ〜２５０Ｋの温度に冷却する段階と、
冷却されたホルムアルデヒド気体を光分解して、炭素同位体を含む一酸化炭素と水素を含む混合気体及び残存ホルムアルデヒドを獲得する段階と、
を含む、炭素同位体を分離する方法。
【請求項２】
前記炭素同位体は、炭素１３（１３Ｃ）である、請求項１に記載の炭素同位体を分離する方法。
【請求項３】
前記冷却する段階は、エタノール及びドライアイス混合物を含む冷却バス（ｃｏｏｌｉｎｇ  ｂａｔｈ）または冷却機（ｃｈｉｌｌｅｒ）によって行われる、請求項１又は２に記載の炭素同位体を分離する方法。
【請求項４】
前記光分解は、０．０１〜５Ｔｏｒｒの圧力下で行われる、請求項１から請求項３のいずれか一項に記載の炭素同位体を分離する方法。
【請求項５】
前記光分解時の光分解レーザーの波数（ｗａｖｅｎｕｍｂｅｒ）は、２８３９６．１ｃｍ−１〜２８４０１．３ｃｍ−１である、請求項１から請求項４のいずれか一項に記載の炭素同位体を分離する方法。
【請求項６】
前記光分解時の光分解レーザーの波数（ｗａｖｅｎｕｍｂｅｒ）は、２８３９６．１ｃｍ−１、２８４０１．３ｃｍ−１またはそれらの組み合わせである、請求項１から請求項５のいずれか一項に記載の炭素同位体を分離する方法。
【請求項７】
前記光分解時に用いられる光分解レーザーは光ファイバレーザーである、請求項１から請求項６のいずれか一項に記載の炭素同位体を分離する方法。
【請求項８】
前記炭素同位体を含む一酸化炭素と水素を含む混合気体及び残存ホルムアルデヒドを獲得する段階に後続して、前記混合気体及び残存ホルムアルデヒドを冷却凝縮して残存ホルムアルデヒドを分離する段階をさらに含む、請求項１に記載の炭素同位体を分離する方法。
【請求項９】
前記冷却凝縮は１８１Ｋ（−９２℃）以下の温度で行われる、請求項８に記載の炭素同位体を分離する方法。
【請求項１０】
請求項１〜９のいずれか一項に記載の炭素同位体を分離する方法により、ホルムアルデヒドから炭素同位体を含む一酸化炭素及び水素を含む混合気体を獲得する段階を含む、炭素同位体の濃縮方法。
【請求項１１】
前記炭素同位体を含む一酸化炭素は１３Ｃを含む一酸化炭素（１３ＣＯ）である、請求項１０に記載の炭素同位体の濃縮方法。
【発明の詳細な説明】
【技術分野】
【０００１】
本発明は、炭素同位体（ｃａｒｂｏｎ  ｉｓｏｔｏｐｅ）を分離する方法及びそれを用いた炭素同位体の濃縮方法に関するものであり、より詳細には、炭素１３を高選択的に分離することができる方法と、単一段階において高濃縮炭素１３を獲得する方法に関するものである。
【背景技術】
【０００２】
炭素は、自然成分比同位体存在度が９８．８９％である炭素１２と、１．１％である炭素１３の二種類の安定同位体があり、このような炭素１２と炭素１３は、産業的に非常に有用である。１．１％の炭素１３を９９％レベルに濃縮した炭素１３は、化学、生化学、環境分野において追跡子（ｔｒａｃｅｒ）として用いられ、炭素１３で標識された尿素（ｕｒｅａ）とブドウ糖（ｇｌｕｃｏｓｅ）などの化合物（１３Ｃ−ｌａｂｅｌｌｅｄ  ｃｏｍｐｏｕｎｄ）は、各種疾患の非侵襲診断と代謝物の研究に用いられる。例えば、炭素１３で標識した化合物を摂取した後、呼気の炭素１３の成分比を測定して各種疾患を診断する呼気検査（ｂｒｅａｔｈ  ｔｅｓｔ）は、診断の正確性と簡便性のため適用範囲を徐々に拡大している。炭素１３尿素呼気検査（１３Ｃ−ＵＢＴ：ｕｒｅａ  ｂｒｅａｔｈ  ｔｅｓｔ）と炭素１３メタセチン呼気検査（１３Ｃ−ＭＢＴ：ｍｅｔｈａｃｅｔｉｎ  ｂｒｅａｔｈ  ｔｅｓｔ）などが一般的に用いられることにより、今後、炭素１３に対する需要が大きく増加することが見込まれる。
【０００３】
９９％レベルに濃縮された炭素１３は、年間１トン以上が生産されており、グラム当たり約１００〜１５０ドルで販売されている。一方、９９．９５％以上に濃縮された炭素−１２で製造した合成ダイヤモンドとグラフェンは、常温における熱伝導度が一般的なダイヤモンドとグラフェンに比べて約２倍高いことが明らかになったことから、熱発散体（ｈｅａｔ  ｓｐｒｅａｄｅｒ）素材としての使用が有望である。しかし、現在の技術で生産された９９．９５％の炭素−１２は１０ドル、９９．９９％の炭素−１２は２０ドルと高価なため、幅広い活用において制約要素として作用している。
【０００４】
現在、産業的に適用されている炭素１３の濃縮技術としては、一酸化炭素（ＣＯ）とメタン（ＣＨ４）極低温蒸留技術が唯一である。８３Ｋの温度で一酸化炭素とメタンを蒸留する場合、分離単位（ｓｅｐａｒａｔｉｏｎ  ｕｎｉｔ）当たりの炭素１３の分離係数（ｓｅｐａｒａｔｉｏｎ  ｆａｃｔｏｒ）は、それぞれ１．０１と１．００５程度と、１．１％の炭素１３を９９％レベルに濃縮するためには、蒸留塔の長さが数百メートルでならなければならない。また、このような極低温蒸留は、大規模な生産設備が必要であり、稼動後から最終生成物が得られるまでの時間である始動時間（ｓｔａｒｔ−ｕｐ  ｔｉｍｅ）が０．５年以上と長いため、市場の変化に迅速に対応することができないという点が弱点として指摘されている。
【０００５】
日本特許第６０８２８９８号公報は、活性炭素繊維を吸着剤として用いるメタンの炭素同位体分離方法に関するものである。この方法は、７７Ｋの温度における炭素１３同位体の選択度が１．０１程度であり、ＭＯＦ利用方法は、２００Ｋの温度で１．１と小さいため、商業的な技術に発展するには限界がある。また、米国特許第８３３７８０２  Ｂ２号公報は、赤外線波長の二酸化炭素レーザーを用いてトリフルオロメタン（ｔｒｉｆｌｕｏｒｏｍｅｔｈａｎｅ、ＣＦ３Ｈ）を多光子光分解する炭素同位体の分離方法に関するものであり、光分解される分子当たり、９７ｅＶという多くのエネルギーが消耗され、炭素１３に対して９９％レベルの濃縮度を得るためには、二段階の分離工程が必要であるが、この時、光分解生成物であるＣＦ２とＨＦをＣＦ３Ｈに化学変換する工程が追加されなければならないという点などは、商業的な技術に発展する上で制約要素となる。
【先行技術文献】
【特許文献】
【０００６】
【特許文献１】日本特許第６０８２８９８号公報
【特許文献２】米国特許第８３３７８０２  Ｂ２号公報
【０００７】
したがって、炭素１３を単一段階において高濃縮することができる方法と、それに関するホルムアルデヒドの光分解波長が提供される場合、関連分野に広く適用することができると期待される。
【発明の概要】
【発明が解決しようとする課題】
【０００８】
したがって、本発明の一側面は、炭素同位体を分離する方法を提供することである。
【０００９】
本発明の他の側面は、上記本発明の炭素同位体を分離する方法を用いた炭素同位体の濃縮方法を提供することである。
【課題を解決するための手段】
【００１０】
本発明の一見地によると、ホルムアルデヒド気体を１９０Ｋ〜２５０Ｋの温度に冷却する段階と、冷却されたホルムアルデヒド気体を光分解して、炭素同位体を含む一酸化炭素と水素を含む混合気体及び残存ホルムアルデヒドを獲得する段階を含む、炭素同位体を分離する方法が提供される。
【００１１】
本発明の他の見地によると、上記本発明の炭素同位体を分離する方法により、ホルムアルデヒドから炭素同位体を含む一酸化炭素及び水素を含む混合気体を獲得する段階を含む、炭素同位体の濃縮方法が提供される。
【発明の効果】
【００１２】
本発明によると、単一段階（ｓｉｎｇｌｅ  ｓｔａｇｅ）において炭素１３を高収率で９８％以上に高濃縮することができ、本発明は、炭素１３の選択度が４，０００〜１０，０００と、成分比が１．１％である炭素１３のみに集中的にエネルギーを投入して分離することができるため、エネルギー効率が高く、小規模の設備で大量生産が可能である。本発明を適用する場合、濃縮炭素１３の生産コストを大きく節減することで、炭素１３の多様な活用に寄与することができる。
【図面の簡単な説明】
【００１３】
【図１】２８４０１．３ｃｍ−１領域におけるホルムアルデヒド光分解スペクトルを示したものである。（１０１：自然成分比ホルムアルデヒドの常温（３００Ｋ）光分解スペクトル、１０２：２４３Ｋの温度における光分解スペクトル、１０３：２０３Ｋの温度における光分解スペクトル）
【図２】２８３９６．１ｃｍ−１領域におけるホルムアルデヒド光分解スペクトルを示したものである。（２０１：自然成分比ホルムアルデヒドの常温（３００Ｋ）光分解スペクトル、２０２：２０３Ｋの温度における光分解スペクトル）
【図３】レーザーの周波数が２８４０１．３ｃｍ−１であるときに、ホルムアルデヒドを光分解して生成された一酸化炭素の炭素１３の成分比を測定した結果である。（３０１：低温（２４３Ｋ）光分解生成物の炭素１３の成分比（９８．６％）、３０２：常温光分解生成物の炭素１３の成分比（９７．８％）、３０３：自然成分比一酸化炭素（１．１％））
【図４】低温光分解による炭素１３の分離工程を示したものである。（４０１：ホルムアルデヒド気体供給（２２０〜２５０Ｋ）、４０２：ホルムアルデヒド気体の冷却バス（ｃｏｏｌｉｎｇ  ｂａｔｈ）（２００〜２５０Ｋ）、４０３：ホルムアルデヒドの低温光分解装置（２００〜２５０Ｋ）、４０４：ホルムアルデヒド捕獲装置（１００Ｋ）、４０５：一酸化炭素酸化装置、４０６：炭素１３二酸化炭素の捕獲装置。）
【発明を実施するための形態】
【００１４】
以下、添付の図面を参照して、本発明の好適な実施形態を説明する。しかし、本発明の実施形態は、様々な他の形態に変形されることができ、本発明の範囲が以下に説明する実施形態に限定されるものではない。
【００１５】
本発明は、単一段階（ｓｉｎｇｌｅ  ｓｔａｇｅ）において炭素１３を分離し、９８％以上に高濃縮する技術に関するものである。
【００１６】
より詳細に、本発明の炭素同位体を分離する方法は、ホルムアルデヒド気体を１９０Ｋ〜２５０Ｋの温度に冷却する段階と、冷却されたホルムアルデヒド気体を光分解して、炭素同位体を含む一酸化炭素と水素を含む混合気体及び残存ホルムアルデヒドを獲得する段階と、を含む。
【００１７】
本発明で分離することができる上記炭素同位体は、炭素１３（１３Ｃ）である。
【００１８】
炭素同位体の分離のために用いられる原料物質としては、ホルムアルデヒドがあり、気体（蒸気）状態で光分解反応部に供給される。ホルムアルデヒドは、融点が−９２℃（１８１Ｋ）であり、沸点は−２１℃（２５２Ｋ）である。
【００１９】
但し、本発明では、光分解前に、このようなホルムアルデヒド気体を１９０Ｋから２５０Ｋの温度に冷却する段階を行い、例えば、ホルムアルデヒド気体は２００Ｋ〜２４５Ｋの温度範囲に冷却されることができる。光分解時のホルムアルデヒド気体の温度が１９０未満の場合には、ホルムアルデヒドの蒸気圧が低すぎるという問題があり、２５０Ｋを超える場合には、炭素１３に対する選択度が低下するという問題がある。
【００２０】
このとき、上記冷却する段階を行う方法は、特に制限されるものではないが、例えば、エタノール及びドライアイス混合物を含む冷却バス（ｃｏｏｌｉｎｇ  ｂａｔｈ）または冷却機（ｃｈｉｌｌｅｒ）によって行われることができる。
【００２１】
この時、上記光分解は０．０１〜５Ｔｏｒｒの圧力下で行われることが好ましく、例えば、０．２〜１Ｔｏｒｒの圧力下で行われることができる。光分解が上記圧力範囲未満で行われる場合には、生産性（ｐｒｏｄｕｃｔｉｖｉｔｙ）が低下するという問題があり、上記圧力範囲を超えて行われる場合には、炭素１３の選択度と光分解量子収率（ｐｈｏｔｏｄｉｓｓｏｃｉａｔｉｏｎ  ｑｕａｎｔｕｍ  ｙｉｅｌｄ）が低くなるという問題がある。
【００２２】
特に、本発明は、光ファイバレーザーを用いて特定波数のレーザーを照射することができ、上記光分解時の光分解レーザーの波数（ｗａｖｅｎｕｍｂｅｒ）は２８３９６．１ｃｍ−１〜２８４０１．３ｃｍ−１、好ましくは２８３９６．１ｃｍ−１、２８４０１．３ｃｍ−１またはそれらの組み合わせである。このような波数のレーザーをホルムアルデヒドに照射すると、炭素１３同位体が含まれた一酸化炭素のみを選択的に獲得することがでる。
【００２３】
本発明において、上記光分解時に用いられる光分解レーザーは、エネルギー効率が高く、維持及び管理が容易な光ファイバレーザーを用いることができるが、これに制限されるものではない。上記ファイバレーザーは、光ファイバ中に能動媒質を有するレーザーであって、この媒質に低順位の希土類ハロゲン化物を添加した光ファイバレーザーを意味する。このような光ファイバレーザーは小さくて軽く、維持と管理が便利である。特にエネルギー効率が高く、発振波長領域が広くて、広い範囲にわたって出力調節が可能であるため、ホルムアルデヒドを光分解するための波数を選択的に発生させることができ、本発明に好ましく適用することができる。
【００２４】
一方、本発明において、上記炭素同位体を含む一酸化炭素と水素を含む混合気体及び残存ホルムアルデヒドを獲得する段階に後続して、上記混合気体及び残存ホルムアルデヒドを冷却凝縮して残存ホルムアルデヒドを分離する段階をさらに含むことができる。
【００２５】
かかる工程により、上記光分解工程で光分解されないホルムアルデヒドを回収して排出し、光分解によって得られた光分解産物であるＨ２と１３ＣＯを分離回収することができる。この時、上記光分解によって形成された生成物である水素及び炭素１３を含む一酸化炭素と、光分解されずに存在するホルムアルデヒドは冷却凝縮させることで回収することができる。光分解されないホルムアルデヒドは氷点が−９２℃であり、上記氷点以下に冷却させることにより凝縮させることができる。したがって、上記冷却凝縮は、１８１Ｋ（−９２℃）以下の温度で行われることが好ましく、例えば、７０Ｋ〜１８０Ｋ、好ましくは７７Ｋ〜１３０Ｋの温度で行われることができる。
【００２６】
このとき、ホルムアルデヒド凝縮条件でも、水素及び一酸化炭素は相変わらず気体状態で存在するため、光分解反応生成物である水素及び一酸化炭素をガス状態で回収してホルムアルデヒドと分離することができる。
【００２７】
一方、上記ホルムアルデヒドの光分解によって生成された上記一酸化炭素には、炭素同位体１３Ｃが含まれている。したがって、このような一酸化炭素と水素を含む上記残留光分解産物を触媒酸化（ｃａｔａｌｙｔｉｃ  ｏｘｉｄａｔｉｏｎ）反応によって炭素の同位体を回収することができる。
【００２８】
したがって、本発明の他の見地によると、炭素同位体の濃縮方法が提供され、これは、上記本発明の炭素同位体を分離する方法により、ホルムアルデヒドから炭素同位体を含む一酸化炭素及び水素を含む混合気体を獲得する段階を含む。
【００２９】
上記炭素同位体を含む一酸化炭素は、１３Ｃを含む一酸化炭素（１３ＣＯ）である。
【００３０】
さらに、上記混合気体に酸素を追加して酸化反応を行って、水及び炭素同位体を含む二酸化炭素を合成する酸化段階をさらに行うことができ、具体的には、上記ホルムアルデヒドの光分解反応によって生成された水素と一酸化炭素を分離回収した後、これらに酸素を供給して触媒酸化（ｃａｔａｌｙｔｉｃ  ｏｘｉｄａｔｉｏｎ）させることで水（Ｈ２Ｏ）と二酸化炭素（ＣＯ２）を生成し、上記水を凝縮させて二酸化炭素を回収することにより、炭素同位体が濃縮された二酸化炭素を最終生成物として抽出することができる。
【００３１】
この過程で、外部から酸素が供給されるが、炭素同位体の濃縮度には変化を与えない。
【００３２】
上記触媒酸化反応に用いることができる触媒としては、通常に用いられるものを適用することができ、特に限定されないが、例えば、このような触媒としてはＣｕ−Ｃｅを挙げることができる。
【００３３】
このように、本発明によると、単一段階（ｓｉｎｇｌｅ  ｓｔａｇｅ）において炭素１３を高収率で９８％以上に高濃縮することができ、本発明は、炭素１３の選択度が４，０００〜１０，０００と、成分比が１．１％である炭素１３のみに集中的にエネルギーを投入して分離することができるため、エネルギー効率が高く、小規模の設備で大量生産が可能である。本発明を適用する場合、濃縮炭素１３の生産コストを大きく節減することで、炭素１３の多様な活用に寄与することができる。
【００３４】
以下、具体的な実施例を挙げて本発明をより具体的に説明する。下記の実施例は、本発明の理解を助けるための例示に過ぎず、本発明の範囲がこれに限定されるものではない。
【実施例】
【００３５】
１．炭素１３分離に有用なホルムアルデヒドの光分解波長確認
ホルムアルデヒド（ｆｏｒｍａｌｄｅｈｙｄｅ、Ｈ２ＣＯ）気体に３４０〜３６０ｎｍ波長領域の紫外線光を照射すると、下記式（１）のように、水素分子（Ｈ２）と一酸化炭素（ＣＯ）に光分解される。この時、光分解量子収率（ｐｈｏｔｏｄｉｓｓｏｃｉａｔｉｏｎ  ｑｕａｎｔｕｍ  ｙｉｅｌｄ）は、１０Ｔｏｒｒで約０．８５であり、５Ｔｏｒｒ以下では０．９以上と高かった。
2020082071.tif 000003
【００３６】
図１及び図２は、線幅が６０ＭＨｚである狭い線幅の単一モード（ｓｉｎｇｌｅ  ｍｏｄｅ）レーザーで測定したホルムアルデヒド光分解スペクトルである。１０１と２０１は、常温で測定した自然成分比ホルムアルデヒドの光分解スペクトルであり、１０２は２４３Ｋの温度で、１０３と２０２は２０３Ｋの温度で測定した光分解スペクトルである。
【００３７】
図１の（ａ）と図２の（ｂ）は、炭素１３を単一段階において９８％以上に分離及び濃縮するのに有用な光分解波長であり、レーザー波数（ｗａｖｅｎｕｍｂｅｒ）としては、それぞれ２８４０１．３ｃｍ−１と２８３９６．１ｃｍ−１である。
【００３８】
レーザー波数（ｗａｖｅｎｕｍｂｅｒ）２８４０１．３ｃｍ−１でホルムアルデヒドを常温光分解する場合、炭素１３の選択度は約４，０００であり、２４３Ｋにおける炭素１３の選択度は約７，０００と測定された（図３参照）。したがって、２０３Ｋの温度で光分解する場合、炭素１３の選択度は１０，０００以上と、単一段階濃縮工程において９９％以上の炭素１３を得ることができると判断される。ここで、同位体の選択度Ｓは、次のように式（２）によって定義される。
2020082071.tif 000004
式（２）において、ＣＦは原料の炭素１３の成分比であり、ＣＰは生成物の炭素１３の成分比である。
【００３９】
２．高選択的な炭素１３の分離
実施例１
図４は、低温光分解による炭素１３の分離工程を示したものである。より詳細には、無水ホルムアルデヒド（ａｎｈｙｄｒｏｕｓ  ｆｏｒｍａｌｄｅｈｙｄｅ）貯蔵庫から供給されるホルムアルデヒド気体は、冷却バス（ｃｏｏｌｉｎｇ  ｂａｔｈ）４０２によって１９０Ｋ〜２５０Ｋの温度範囲で一定の温度に冷却されて光分解装置４０３に注入される。この時、光分解装置の圧力は０．２〜１Ｔｏｒｒとなるようにする。上記冷却バス４０２は、エタノール（ｅｔｈａｎｏｌ）とドライアイス（ｄｒｙ  ｉｃｅ）混合物を用いるか、または冷却機（ｃｈｉｌｌｅｒ）を用いることができる。温度が２００〜２４５Ｋの範囲で一定に維持される光分解装置４０３により、炭素１３ホルムアルデヒドは高い選択度で光分解されることができ、この時、本実施例１では０．２Ｔｏｒｒの圧力下、２４３Ｋの温度で波数２８４０１．３ｃｍ−１によって光分解を行った。
【００４０】
残存ホルムアルデヒドは、液体窒素で冷却される装置（ｌｉｑｕｉｄ−ｎｉｔｒｏｇｅｎ  ｔｒａｐ）４０４に捕獲されて、光分解生成物である合成気体から分離されることができる。
【００４１】
さらに、合成気体は、酸素がさらに供給される酸化装置４０５で、下記式（３）によって炭素１３二酸化炭素に変換され、貯蔵４０６されることができる。
2020082071.tif 000005
【００４２】
かかる工程により、本発明は、単一段階（ｓｉｎｇｌｅ  ｓｔａｇｅ）において炭素１３を９８％以上に高濃縮することができる。
【００４３】
実施例２
レーザーの波数が２８４０１．３ｃｍ−１であるときに、２０３Ｋでホルムアルデヒドを光分解したことを除いては、実施例１と同一の工程によりホルムアルデヒドを光分解した。
【００４４】
実施例３
レーザーの波数が２８３９６．１ｃｍ−１であるときに、２０３Ｋでホルムアルデヒドを光分解したことを除いては、実施例１と同一の工程によりホルムアルデヒドを光分解した。
【００４５】
比較例１
レーザーの周波数が２８４０１．３ｃｍ−１であるときに、常温（３００Ｋ）でホルムアルデヒドを光分解したことを除いては、実施例１と同一の工程によりホルムアルデヒドを光分解した。
【００４６】
比較例２
レーザーの周波数が２８３９６．１ｃｍ−１であるときに、常温（３００Ｋ）でホルムアルデヒドを光分解したことを除いては、実施例１と同一の工程によりホルムアルデヒドを光分解した。
【００４７】
３．本発明によってホルムアルデヒドを光分解して生成された一酸化炭素の炭素１３の成分比測定
図３はレーザーの周波数が２８４０１．３ｃｍ−１であるときに、ホルムアルデヒドを光分解して生成された一酸化炭素の炭素１３の成分比を測定した結果である。
【００４８】
より詳細には、３０１は実施例１によって２４３Ｋで光分解したものであり、炭素１３の成分比は９８．６％であり、炭素１３の選択度は約７，０００と測定された。
【００４９】
これに対し、３０２は比較例１によって常温光分解した場合であり、炭素１３の成分比は９７．８％、炭素１３の選択度は約４，０００であった。
【００５０】
一方、３０３は自然成分比である１．１％の炭素１３を比較したものである。
【００５１】
その結果、本発明による実施例１は、炭素１３の選択度が４，０００〜１０，０００と、成分比が１．１％である炭素１３のみに集中的にエネルギーを投入して分離することができるため、エネルギー効率が高く、小規模の設備で大量生産が可能であることが確認できる。本発明を適用する場合、濃縮炭素１３の生産コストを大きく節減することで、炭素１３の様々な活用に寄与することができると期待される。
【００５２】
以上、本発明の実施例について詳細に説明したが、本発明の権利範囲はこれに限定されるものではなく、請求の範囲に記載された本発明の技術的思想を逸脱しない範囲内で様々な修正及び変形が可能であることは、当技術分野における通常の知識を有する者には自明である。
【符号の説明】
【００５３】
１０１  自然成分比ホルムアルデヒドの常温（３００Ｋ）光分解スペクトル
１０２  ２４３Ｋの温度における光分解スペクトル
１０３  ２０３Ｋの温度における光分解スペクトル
２０１  自然成分比ホルムアルデヒドの常温（３００Ｋ）光分解スペクトル
２０２  ２０３Ｋの温度における光分解スペクトル
３０１  低温（２４３Ｋ）光分解生成物の炭素１３の成分比（９８．６％）
３０２  常温光分解生成物の炭素１３の成分比（９７．８％）
３０３  自然成分比一酸化炭素（１．１％）
４０１  ホルムアルデヒド気体供給（２２０〜２５０Ｋ）
４０２  ホルムアルデヒド気体の冷却バス（ｃｏｏｌｉｎｇ  ｂａｔｈ）（２００〜２５０Ｋ）
４０３  ホルムアルデヒドの低温光分解装置（２００〜２５０Ｋ）
４０４  ホルムアルデヒド捕獲装置（１００Ｋ）
４０５  一酸化炭素の酸化装置
４０６  炭素１３二酸化炭素の捕獲装置
【図１】
2020082071.tif 000006
【図２】
2020082071.tif 000007
【図３】
2020082071.tif 000008
【図４】
2020082071.tif 000009